(57)【特許請求の範囲】
【請求項１】
最小限での吐出圧力で排水することができるよう吸込口が開設された渦巻きケーシングの底板下面と床面との吸込み高さを極力低く構成された低水位または残水の排水に用いられるポンプにおいて、渦巻きケーシングから側方に向かって延びる吐出通路の先端に側開型の吐出口を開設し、該吐出口の開口周縁を仰傾状の傾斜面に形成し、移動時には袋帯状に平たく畳んで束ねることができる吐出用フレキシブルホース（サニーホース（登録商標））の始端開口部に嵌着されたホースカップリングの基端開口周縁を前記吐出口の開口周縁と対向する伏傾状の傾斜面に形成し、吐出口の開口周縁とホースカップリングの基端開口周縁とを同心状に接合させて締結材により着脱自在に接続されるよう構成したことを特徴とするポンプ。
【発明の詳細な説明】
【技術分野】
【０００１】
本発明は、ポンプに関し、更に詳しくは、低水位または残水の排水に用いられる比較的小型の可搬式ポンプに関するものである。
【背景技術】
【０００２】
水槽内に常設して使用される据付式のポンプと異なり、残水排水のポンプは頻繁に現場を移動して使用されるため、吐出口に接続される吐出用ホースが硬質のものであればポンプの移動時に該硬質ホースが嵩張って非常に不便である。そこで、ポンプの不使用時や移動時には袋帯状に平たく畳んで束ねることができる、可撓性に富んだ軟質のホースの使用が望ましい。このようなホースは、サニーホース等の名称で広く市販されていて、可搬式ポンプの吐出用ホースとして好適である。
【０００３】
しかしながら、従来の残水排水ポンプは、渦巻きケーシングから側方に向かって延びる吐出通路の先端に上開型の吐出口を開設し、該上開型吐出口の上面に吐出管が立設されている（例えば、特許文献１参照。）。このように立設された吐出管に前述のようなサニーホースと呼ばれる軟質の吐出用ホースを嵌着した場合、図４に示すよう吐出管の上縁辺りから括れて折れ曲り、該折れ曲った部分が扁平となって排水路は閉塞状態となる。周知のように低水位の排水時には、空気を巻き込みながらの運転状態や、空気と水を交互に吸込む運転状態となることが多く、このような渇水運転状態ではポンプの吐出能力が弱くなり、ホースの折れ曲りを伸ばして排水するだけの吐出力を生じない。従って低水位または残水の排水ポンプにおいては排水不能状態となり易い。
【特許文献１】特開平９−１４１７５号公報  （第１図）
【発明の開示】
【発明が解決しようとする課題】
【０００４】
解決しようとする課題は、サニーホース等と呼ばれている軟質の吐出用ホースを用いての低水位または残水の排水が支障なく有効に行われ可搬性にも優れたポンプを提供することである。
【課題を解決するための手段】
【０００５】
本発明では、最小限での吐出圧力で排水することができるよう吸込口が開設された渦巻きケーシングの底板下面と床面との吸込み高さを極力低く構成された低水位または残水の排水に用いられるポンプにおいて、渦巻きケーシングから側方に向かって延びる吐出通路の先端に側開型の吐出口を開設し、該吐出口の開口周縁を仰傾状の傾斜面に形成し、移動時には袋帯状に平たく畳んで束ねることができる吐出用フレキシブルホース（サニーホース（登録商標））の始端開口部に嵌着されたホースカップリングの基端開口周縁を前記吐出口の開口周縁と対向する伏傾状の傾斜面に形成し、吐出口の開口周縁とホースカップリングの基端開口周縁とを同心状に接合させて締結材により着脱自在に接続されるよう構成したことを、最も主要な特徴とする。
【発明の効果】
【０００６】
本発明ポンプでは、吐出口の開口周縁を仰傾状の傾斜面に形成し、吐出用フレキシブルホースの始端開口部に嵌着されたホースカップリングの基端開口周縁を前記吐出口の開口周縁と対向する伏傾状の傾斜面に形成してあるので、吐出口の開口周縁とホースカップリングの基端開口周縁とを同心状に接合させて締結材により接続することで、吐出用フレキシブルホースは括れを生じることなく水平に伸延される。従って、低水位または残水の排水時における空気を巻き込みながらの渇水運転状態でも、吐出用フレキシブルホースを通じての排水は支障なく有効に行われる。また、このような軟質で可撓性に富む吐出用フレキシブルホースを用いたことにより、ポンプの不使用時や移動時には袋帯状に平たく畳んで束ねることができ、可搬性および収納性にも優れたポンプであるという利点がある。更にまた、残水の排水を有効に行わせる別の要件として、可及的に実排水の吐出高さを低くすると共に渦巻きケーシングの底板下面と床面との吸込み高さを低くすることが求められるが、本発明では前記吐出口およびホースカップリングの双方開口端面が傾斜面に形成・接合するという構成であるため、垂直面で接合される場合よりも実排水の吐出高さが極めて低く最少限の吐出揚程すなわち最小限での吐出圧力で排水することができ、且つ、渦巻きケーシングの底板下面と床面との吸込高さを極めて低くすることが可能となって、残水の排水吐出力を強力に行わせることができるという相乗の効果をも生じる。
【発明を実施するための最良の形態】
【０００７】
竪型モータのモータ軸導下部に取付けられた羽根車を渦巻きケーシング内に収容し、渦巻きケーシングの底板に吸込口を開設し、底板上面と羽根車下縁との間のクリアランスを極力小さくすると共に底板下面と床面との吸込み高さを極力低くし、渦巻きケーシングから側方に向かって延びる吐出通路の先端に側開型の吐出口を開設し、該吐出口の開口周縁を仰傾状の傾斜面に形成し、吐出用フレキシブルホースの始端開口部に嵌着されたホースカップリングの基端開口周縁を前記吐出口の開口周縁と対向する伏傾状の傾斜面に形成し、吐出口の開口周縁とホースカップリングの基端開口周縁とを同心状に接合させて締結材により着脱自在に接続されるよう構成する。
【実施例１】
【０００８】
実施例の図１において、１は渦巻きケーシング、２は渦巻きケーシング１上に立設された竪型モータ、３は羽根車であり、モータ軸４の導下部に取付けられた状態で渦巻きケーシング１内に収容される。５は渦巻きケーシング１の底板、６は底板５の中央部に開設された吸込口、７は渦巻きケーシング１から側方に向かって延びる吐出通路、８は吐出通路７の先端に開設された側開型の吐出口であり、該吐出口８の開口周縁は仰傾状の傾斜面に形成されている。９はホースカップリングであり、該ホースカップリング９の基端部１０の開口周縁は、前記吐出口８の開口周縁と対向する伏傾状の傾斜面に形成されている。そして、吐出口８の開口周縁とホースカップリング９の基端部１０の開口周縁とを同心状に接合させた状態により、締着ボルト等の締結材１１により着脱自在に接続する。底板５の上面と羽根車３の下縁との間のクリアランスは極力小さくし、また、底板５の下面と床面１２との吸込み高さを極力低くすることが望ましいが、該吸込み高さは、渦巻きケーシング１の下面に付設されるストレーナスタンド１３によって規整される。１４は竪型モータ２のヘッドカバー上に付設された提手である。
【０００９】
実施例の図２において、１５は吐出用フレキシブルホースであり、その始端開口部をホースカップリング９に嵌着して終端開口部を例えば排水溝１６まで導延させる。吐出口８とホースカップリング９の前述の接合態様により、吐出用フレキシブルホース１５は括れを生じることなく床面１２に沿って水平に伸延されるので、吐出力の弱い渇水運転状態でも、吐出用フレキシブルホース１５を通じての排水に支障を来たすことはない。なお、吐出口８の開口周縁とホースカップリング９の基端部１０の開口周縁とが傾斜面に形成されていることを利用して、図３に示すよう両者を直交状に接合させた態様で吐出用フレキシブルホース１５を上方へ伸延させると共に、低水位用のストレーナスタンド１３を通常水位用のストレーナスタンド１３Ｂと交換すれば、通常の排水ポンプとして利用することも可能となる。
【図面の簡単な説明】
【００１０】
【図１】本発明ポンプの要部縦断側面図である。
【図２】本発明ポンプの使用時の状態を略示した説明図である。
【図３】本発明ポンプの別の使用例を略示した説明図である。
【図４】従来の残水排水用ポンプに吐出用フレキシブルホースを用いた事例を示す説明図である。
【符号の説明】
【００１１】
１      渦巻きケーシング
５      底板
７      吐出通路
８      側開型の吐出口
９      ホースカップリング
１０      ホースカップリングの基端部
１１      締結材
１５      吐出用フレキシブルホース
【図１】
0004632688.tif 000002
【図２】
0004632688.tif 000003
【図３】
0004632688.tif 000004
【図４】
0004632688.tif 000005